(57)【要約】【課題】容器本体からスパチュラを取り外すことが容易なスパチュラ付き容器を提供する。【解決手段】有底で上面開口の筒体１２の上部外面に雄ネジ部２０を形成させた容器本体１０と、有頂の蓋周壁３４の内面に前記雄ネジ部２０とかみ合う雌ネジ部３６を形成させたキャップ３０と、前記筒体１２に上方への引き抜き可能に組み付けられ、上側に把持部４８を、また下側に内容物取出し部４２をそれぞれ有する縦長のスパチュラ４０とを具備する。前記筒体１２の周方向の一部に前記雄ネジ部２０を縦断する収納凹部２２を形成させるとともに、この収納凹部２２内に前記把持部４８を収納させ、かつ当該把持部４８に、前記雌ネジ部３６とかみ合う一つ又は複数の斜行リブ５２を含む部分ネジ部５０を形成する。少なくとも一つの斜行リブ５２は、前記スパチュラ４０引上げ用のフック手段ｈとして前記雄ネジ部２０より高く配置する。【選択図】図１
2020179896.tif 000002
【特許請求の範囲】
【請求項１】
有底かつ上面開口の筒体(１２)の上部に雄ネジ部(２０)を形成させた容器本体(１０)と、
有頂の蓋周壁(３４)に前記雄ネジ部(２０)とかみ合う雌ネジ部(３６)を形成したキャップ(３０)と、
前記筒体(１２)に、上方への引き抜き可能に組み付けられ、上側に把持部(４８)を、また下側に内容物取出し部(４２)をそれぞれ有する縦長のスパチュラ(４０)と、を具備し、
前記筒体(１２)の周方向の一部に前記雄ネジ部(２０)を縦断する収納凹部(２２)を形成させるとともに、この収納凹部(２２)内に前記把持部(４８)を収納させ、かつ当該把持部(４８)に、前記雌ネジ部(３６)とかみ合う一つ又は複数の斜行リブ(５２)を含む部分ネジ部(５０)を形成しており、
少なくとも一つの斜行リブ(５２)は、前記筒体(１２)からキャップ(３０)を螺脱させたときに前記スパチュラ(４０)を引き上げるためのフック手段(ｈ)として機能させるために、前記収納凹部(２２)付近での雄ネジ部(２０)の位置より高く配置させたことを特徴とする、スパチュラ付き容器。
【請求項２】
前記筒体(１２)は、底壁部(１１)の外周部から立設させた内筒部(１４)と、この内筒部(１４)の外面上部からフランジ状壁部(１６)を介して垂設させた外筒部(１８)とで形成され、
前記フランジ状壁部(１６)の周方向の一部を前記外筒部(１８)の対応箇所とともに陥没させて、前記収納凹部(２２)を形成させ、
この収納凹部(２２)内で前記フランジ状壁部(１６)に開口させた挿通孔(２４)を介して前記内筒部(１４)及び外筒部(１８)の間の環状空間(Ｖ)内に前記内容物取出し部(４２)を挿入したことを特徴とする、請求項１に記載のスパチュラ付き容器。
【請求項３】
前記筒体(１２)のスパチュラ組付け箇所に、前記スパチュラ(４０)の引上げ状態で当該スパチュラ(４０)の両側に当接して前記引上げ状態を支える一対の挟持用ストッパ(２６)が形成されていることを特徴とする、請求項１又は請求項２に記載のスパチュラ付き容器。
【請求項４】
前記スパチュラ(４０)の引上げ状態で前記一対の挟持用ストッパ(２６)が前記スパチュラの幅方向の両側に当接するように形成するとともに、
前記スパチュラ(４０)は、縦方向の一部に、前記スパチュラ(４０)の幅方向の変形を容易とする易変形部(４６)を有しており、
前記易変形部(４６)は、少なくとも前記スパチュラ(４０)の引上げ状態において、前記一対の挟持用ストッパ(２６)の間に位置するように配置されたことを特徴とする、請求項３に記載のスパチュラ付き容器。
【請求項５】
前記把持部(４８)を前記筒体(１２)の筒径方向に表面(Ｓｆ)及び裏面(Ｓｒ)を向けた板状に形成し、これら表面(Ｓｆ)及び裏面(Ｓｒ)に、それぞれ前記部分ネジ部(５０)を形成したことを特徴とする、請求項１から請求項４のいずれかに記載のスパチュラ付き容器。
【発明の詳細な説明】
【技術分野】
【０００１】
本発明は、スパチュラ付き容器に関する。
【背景技術】
【０００２】
広口の筒周壁を有する容器本体と、前記筒周壁の上部外面に螺合された有頂筒状のキャップとを具備し、このキャップの下側で、前記筒周壁の外面から当該キャップより大径の鍔部を介して補助周壁を垂下させるとともに、前記キャップより外側の鍔部分に挿通孔を開口してなり、この挿通孔に対して、上方へ掬い部を向けたスパチュラの柄部を嵌挿させて、スパチュラを嵌着させたものが知られている（特許文献１）。  
【先行技術文献】
【特許文献】
【０００３】
【特許文献１】特開２０００−３２６９８５
【発明の概要】
【発明が解決しようとする課題】
【０００４】
特許文献１の容器では、掬い部を上にしたスパチュラの柄部を前記鍔部の挿通孔内へ挿入しており、スパチュラを取り出すときに、前記掬い部を指で摘まんで引き上げると、指の汚れが掬い部に付着してしまうという問題点があった。
この問題点に対して、例えば柄部の寸法を長くして、この柄部を挿通孔へ挿入させたときに前記鍔部の上側に柄部の上部を位置させ、この上部を把持部として引きあげることが可能とすることも考えられる。しかしながら、この構成でも、把持部と前記筒周壁とが接近し過ぎて把持し難く、取り出しが難しいという不都合が残る。
【０００５】
本発明の目的は、容器本体からスパチュラを取り外すことが容易なスパチュラ付き容器を提供することである。
【課題を解決するための手段】
【０００６】
第１の手段は、有底かつ上面開口の筒体１２の上部に雄ネジ部２０を形成させた容器本体１０と、
有頂の蓋周壁３４に前記雄ネジ部２０とかみ合う雌ネジ部３６を形成したキャップ３０と、
前記筒体１２に、上方への引き抜き可能に組み付けられ、上側に把持部４８を、また下側に内容物取出し部４２をそれぞれ有する縦長のスパチュラ４０と、を具備し、
前記筒体１２の周方向の一部に前記雄ネジ部２０を縦断する収納凹部２２を形成させるとともに、この収納凹部２２内に前記把持部４８を収納させ、かつ当該把持部４８に、前記雌ネジ部３６とかみ合う一つ又は複数の斜行リブ５２を含む部分ネジ部５０を形成しており、
少なくとも一つの斜行リブ５２は、前記筒体１２からキャップ３０を螺脱させたときに前記スパチュラ４０を引き上げるためのフック手段ｈとして機能させるために、前記収納凹部２２付近での雄ネジ部２０の位置より高く配置させた。
【０００７】
本手段では、図１に示す如く、有底かつ上面開口の筒体１２にキャップ３０の蓋周壁３４を螺着させるとともに、前記筒体１２の周方向の一部に雄ネジ部２０を縦断する収納凹部２２を設け、かつ前記筒体１２に、上側に把持部４８を有するスパチュラ４０を、当該把持部４８が前記収納凹部２２内に収納されるように組み付け、前記把持部４８に、一つ又は複数の斜行リブ５２を含む部分ネジ部５０が形成されている。
前記斜行リブ５２は、前記蓋周壁３４の雌ネジ部３６とかみ合うように設ける。そのためには、図１に想像線で示す前記雄ネジ部２０のネジ軌跡Ｔが前記部分ネジ部５０に重なるようにすればよい。
そして本発明では、少なくとも一つの斜行リブ５２を、前記ネジ軌跡Ｔで示す雄ネジ部２０の位置より高い場所に配置している。この構成により、前記筒体１２からキャップ３０を螺脱させたときに前記スパチュラ４０を引き上げるためのフック手段ｈとすることができ、スパチュラ４０の取出しが容易となる。
【０００８】
第２の手段は、第１の手段を有し、かつ前記筒体１２は、底壁部１１の外周部から立設させた内筒部１４と、この内筒部１４の外面上部からフランジ状壁部１６を介して垂設させた外筒部１８とで形成され、
前記フランジ状壁部１６の周方向の一部を前記外筒部１８の対応箇所とともに陥没させて、前記収納凹部２２を形成させ、
この収納凹部２２内で前記フランジ状壁部１６に開口させた挿通孔２４を介して前記内筒部１４及び外筒部１８の間の環状空間Ｖ内に前記内容物取出し部４２を挿入した。
【０００９】
本手段では、前記スパチュラ４０の組み付けに適した筒体１２の態様を提案する。
具体的には、図１に示す如く、底壁部１１の外周部から内筒部１４を立設するとともに、この内筒部１４の外面上部からフランジ状壁部１６を介して外筒部１８を垂設させてなり、これら内筒部１４及び外筒部１８の間に環状空間Ｖを形成している。
そして前記フランジ状壁部１６の周方向の一部を前記外筒部１８の対応部分とともに陥没させて、図４に示す如く、前記把持部４８を収納するための収納凹部２２を形成する。
この収納凹部２２内では、前記フランジ状壁部１６に内容物取出し部の挿通用の挿通孔２４を開口させている。
この構成によれば、容器本体が嵩張ることなく、前記スパチュラ４０を組み付けることができる。また前記内容物取出し部４２は前記環状空間Ｖ内に収納されるので、埃などが付着しにくく、衛生的である。
【００１０】
第３の手段は、第１の手段又は第２の手段を有し、かつ前記筒体１２のスパチュラ組付け箇所に、前記スパチュラ４０の引上げ状態で当該スパチュラ４０の両側に当接して前記引上げ状態を支える一対の挟持用ストッパ２６が形成されている。
【００１１】
本手段では、前記筒体１２のスパチュラ組付け箇所に、前記スパチュラ４０の引上げ状態で当該スパチュラ４０の両側（幅方向の両側又は厚さ方向の両側）に当接して前記引上げ状態を支える一対の挟持用ストッパ２６を設けている（図１参照）。
この構成によれば、キャップ３０の螺脱操作により引き上げられたスパチュラ４０が、キャップ３０を外した後に原位置に戻ることがなく、使い勝手が良い。
【００１２】
第４の手段は、第３の手段を有し、かつ
前記スパチュラ４０の引上げ状態で前記一対の挟持用ストッパ２６が前記スパチュラの幅方向の両側に当接するように形成するとともに、
前記スパチュラ４０は、縦方向の一部に、前記スパチュラ４０の幅方向の変形を容易とする易変形部４６を有しており、
前記易変形部４６は、少なくとも前記スパチュラ４０の引上げ状態において、前記一対の挟持用ストッパ２６の間に位置するように配置されている。
【００１３】
本手段では、スパチュラ４０の引上げ状態を維持するために好適な易変形部４６を提案している。
前提的な構成要件として、前記一対の挟持用ストッパ２６は、図１に示すように、前記スパチュラ４０の引上げ状態で前記スパチュラ４０の幅方向の両側に当接するように形成する。
そして前記スパチュラ４０は、縦方向の一部に、前記スパチュラ４０の幅方向の変形を容易とする易変形部（図示例では撓み変形孔）４６を有している。
前記易変形部４６は、少なくとも、図７（Ａ）に示す前記スパチュラ４０の引上げ状態において、前記一対の挟持用ストッパ２６の間に位置するように配置されている。
この構成によれば、前記挟持用ストッパ２６が前記易変形部４６の形成箇所に食い込むことで前記スパチュラ４０をベンド変形させるので、スパチュラ４０に対する支持力が増大する。
【００１４】
第５の手段は、第１の手段から第４の手段の何れかを有し、かつ前記把持部４８を前記筒体１２の筒径方向に表面Ｓｆ及び裏面Ｓｒを向けた板状に形成し、これら表面Ｓｆ及び裏面Ｓｒに、それぞれ前記部分ネジ部５０を形成した。
【００１５】
本手段では、図２に示す如く、前記把持部４８を前記筒体１２の筒径方向に表面Ｓｆ及び裏面Ｓｒを向けた板状に形成し、これら表面Ｓｆ及び裏面Ｓｒに、それぞれ前記部分ネジ部５０を形成した。
この構成によれば、前記把持部４８の表裏どちら側が容器本体１０の外側になるように前記スパチュラ４０を前記筒体１２にセットしても、前記スパチュラ４０の引き上げ作用が得られ、便利である。
【発明の効果】
【００１６】
第１の手段に係る発明によれば、容器本体１０の筒体１２の上部にキャップ３０の蓋周壁３４を螺着させるとともに、前記筒体１２に組み付けられたスパチュラ４０の上側に把持部４８を設け、この把持部４８に、前記蓋周壁３４の内面の雌ネジ部３６とかみ合う一つ又は複数の斜行リブ５２を含む部分ネジ部５０が形成されており、少なくとも一つの斜行リブ５２を、前記筒体１２からキャップ３０を螺脱させたときに前記スパチュラ４０の引き上げ用のフック手段ｈとしたから、スパチュラ４０の取り出しが容易となる。
第２の手段に係る発明によれば、内筒部１４の外面上部からフランジ状壁部１６を介して外筒部１８を垂設させるとともに、前記フランジ状壁部１６に開口した挿通孔２４を介して前記内筒部１４及び外筒部１８の間の環状空間Ｖ内に前記内容物取出し部４２を挿入したから、この内容物取出し部４２に埃などが付着しにくく、衛生的である。
第３の手段に係る発明によれば、前記筒体１２のスパチュラ組付け箇所に、前記スパチュラ４０の引上げ状態で当該スパチュラ４０の両側に当接して前記引上げ状態を支える一対の挟持用ストッパ２６が形成されているから、使い勝手が良い。
第４の手段に係る発明によれば、前記スパチュラ４０の引上げ状態で前記挟持用ストッパ２６の間に位置する易変形部４６を形成したから、前記引上げ状態をより確実に維持できる。
第５の手段に係る発明によれば、前記把持部４８の表面Ｓｆ及び裏面Ｓｒに、それぞれ前記部分ネジ部５０を形成したから、前記把持部４８の表裏どちら側が容器本体１０の外側になるように前記スパチュラ４０を前記筒体１２にセットしても、前記部分ネジ部５０のフック手段ｈを介して前記スパチュラ４０を引き上げることができ、便利である。
【図面の簡単な説明】
【００１７】
【図１】本発明の実施形態に係るスパチュラ付き容器の正面方向の断面図である。
【図２】図１の容器からキャップを外した状態での平面図である。
【図３】図１の容器のIII-III方向の断面図である。
【図４】図１の容器の側面方向の断面図である。
【図５】図１の容器の要部（収納凹部）の構造を、スパチュラを透視させて描いた説明であり、同図（Ａ）は当該要部を正面方向から見た構造を、また同図（Ｂ）は当該要部を方向から見た構造をそれぞれ示している。
【図６】図１の容器のキャップを螺脱する作業の説明図であり、同図（Ａ）は、当該作業の第１工程を、同図（Ｂ）は、当該作業の第２工程をそれぞれ示している。
【図７】図１の容器からキャップを外した後のスパチュラの状態を示す図であり、同図（Ａ）は全体図、同図（Ｂ）は要部の拡大図である。
【発明を実施するための最良の形態】
【００１８】
図１から図７は、本発明の実施形態に係るスパチュラ付き容器を示している。本実施形態のスパチュラ付き容器は、底蓋２と、容器本体１０と、キャップ３０と、スパチュラ４０とで構成されている。もっとも底蓋２は省略することができる。これら各部材は、例えば合成樹脂材で形成することができる。
【００１９】
底蓋２は、下蓋板３の外周部から前記容器本体１０と連結させるための周壁４を起立している。図示の周壁４は、小径で短い内周壁部５と大径で長い外周壁部６とで形成しているが、内周壁部５を省略して、単一周壁としても構わない。
前記内周壁部５は、後述の脚筒部１４ａと連結されており、その内面には、抜け止め用リブ５ａを周設している。また、この抜け止め用リブ５ａの上側に位置させて、内周壁部５の周方向の一部には、図３に示すように、切り欠き５ｂが形成されている。
前記外周壁部６は、前記下蓋板３の外径よりやや小径に形成されている。
なお、本明細書において、図２の下側を“前”と、同図の上側を“後”と、同図の左右方向を“右”及び“左”と称する。
また前記外周壁部６は、その前壁部分の内側に縦設した一対の内リブ７を有する。これら内リブ７は、図１に想像線で示すように、後述のスパチュラ４０の内容物取出し部４２の両側を仕切る仕切り板としての役割を有する。
前記内リブ７の高さは、前記内容物取出し部４２の上下方向の長さと同程度とすることが望ましい。
また前記一対の内リブ７の対向面７ａは、図５（Ａ）に示すように、前記内容物取出し部４２の幅方向両側部に当接するか、或いは、僅かな隙間ｂを存して近接するように形成されている。図示例では、前記対向面７ａは、内容物取出し部４２の輪郭に対応して、下側が幅狭となるテーパ面として形成されている。
【００２０】
容器本体１０は、有底で上端開口の筒体１２を有する。
本実施形態の筒体１２は、内筒部１４と外筒部１８とからなる２重筒状に形成しているが、その構造は適宜変更することができる。
【００２１】
前記内筒部１４は、その下面を底壁部１１で閉塞されている。図示例では、前記底壁部１１の外周部を外側に向かうに従って緩やかに隆起させて、この外周部から内筒部１４を立設している。
また前記内筒部１４の下端部は、前記底壁部１１より下方へ延設した脚筒部１４ａとしている。この脚筒部１４ａは、前記内周壁部５の内面に嵌合されている。
前記脚筒部１４ａの外面からは、図３に示すように、前記切り欠き５ｂの両端に係止する一対の係合突起１５が突設されている。
【００２２】
前記外筒部１８は、図１に示すように、前記内筒部１４の上部外面からフランジ状壁部１６を介して垂設されている。図示例の外筒部１８は、小径の上方筒部１８ａの下端から拡径部１８ｂを介して下方筒部１８ｃを延出してなる。
前記上方筒部１８ａの外面には、雄ネジ部２０が形成されており、後述の蓋周壁３４が螺合されている。
図示例の雄ネジ部２０は２本のネジ山２０ａからなる２条ネジとしているが、１条ネジ又は３条ネジとしても構わない。
前記雄ネジ部２０は、後述の収納凹部２２を形成するために、周方向の一部を切除している。前記雄ネジ部２０を構成する各ネジ山２０ａは、その切除箇所において、図１に示すように、切端部２０ｂを有する。
なお、図１には、前記雄ネジ部２０のネジ軌跡Ｔを、その最上位のネジ山２０ａの２つの切端部２０ｂを結ぶラインとして、２点鎖線で描いている。前記ネジ軌跡Ｔと後述の斜行リブ５２との関係については、後述する。
前記拡径部１８ｂの内周側には、図２に点線で示すように、前記上方筒部１８ａの下端と連続して肉厚の補剛リング１９が形成されている。
この補剛リングは、後述の挟持用ストッパ２６に連設されており、所要の挟持力を担保するように形成されている。図示例では、前記補剛リング１９の断面形状は、図１に示すように、上方筒部１８ａより肉厚の矩形であるが、この構造は適宜変更することができる。
また前記下方筒部１８ｃは、前記外周壁部６の外面に嵌合されている。
前記下方筒部１８ｃは、前記内筒部１４の下端と同じ高さまで垂下されており、これら下方筒部１８ｃと内筒部１４との間には、周囲から遮断された環状空間Ｖが形成されている。
図示例では、前記下方筒部１８ｃの外面と前記蓋周壁３４の外面と前記下蓋板３の周端面とをほぼ面一に形成している。
【００２３】
また前記筒体１２には、前記フランジ状壁部１６の周方向の一部（図示例では前部）を外筒部１８とともに陥没させて、前記雄ネジ部２０を縦断する収納凹部２２が形成されている。
本実施形態では、前記フランジ状壁部１６は、図５（Ｂ）に示す如く、前記拡径部１８ｂと同じ高さまで陥没しており、この拡径部１８ｂと連続している。
図示例では、前記収納凹部２２の輪郭は、前方から見て、図１に示す如く、底面２２ａと一対の傾斜側面２２ｂとからなる逆台形としている。この収納凹部２２の両側面を傾斜側面とすることにより、後述の挿通孔２４に前記スパチュラ４０を挿通させるときに、スパチュラ４０を把持する利用者の指が前記外筒部１８に当たることを回避することができ、使い勝手が良い。
前記収納凹部２２の底面２２ａには、前記フランジ状壁部１６を貫通する挿通孔２４を開口する。この挿通孔２４は、後述のスパチュラ４０を挿通させるための部位である。図示例では、この挿通孔２４は、前記筒体１２の周方向に長い長孔に形成されているが、その形状は適宜変更することができる。
前記筒体１２には、前記挿通孔２４に挿通されたスパチュラ４０の両側に当接する一対の挟持用ストッパ２６が形成されている。これらの挟持用ストッパ２６は前記スパチュラ４０の引き上げ状態を保持する機能を有する。
図示例では、図５（Ａ）に示す如く、長孔状の挿通孔２４の長手方向両端の孔縁部分で一対の挟持用ストッパ２６を形成している。前記挿通孔２４の孔深さＤは、これら挟持用ストッパ２６が十分な挟持力を発揮できるように設計する。
この構成では、これら挟持用ストッパ２６は、前記スパチュラ４０の幅方向の両側に当接しており、スパチュラの回り止め手段Ｒを兼ねている。もっとも前記挟持用ストッパとは別個に回り止め手段を設けても良い。
また、図示はしないが、前記スパチュラ４０の厚さ方向の両側に一対の挟持用ストッパが当接するように構成してもよい。この場合には、周方向に長い挿通孔２４の長辺（前辺及び後辺）側に一対のストッパを形成すればよい。
【００２４】
キャップ３０は、天板３２の外周から蓋周壁３４を垂設されている。この蓋周壁３４の内面には、前記雄ネジ部２０とかみ合う雌ネジ部３６を形成している。なお、本明細書では、前記雄ネジ部２０から前記雌ネジ部３６を螺脱させるために、前記キャップ３０を螺上昇させなければならない距離を、離脱代Ｍという（図６（Ａ）参照）。
また前記天板３２の裏面にはパッキン３８が取り付けられている。
【００２５】
スパチュラ４０は、上側に把持部４８を、また下側に内容物取出し部４２をそれぞれ有する縦長の部材であり、全体として略板材に形成されている。図示例では、把持部４８と内容物取出し部４２との間に中間部４４を設けている。この中間部を前記挿通孔２４に嵌着することにより、前記筒体１２に前記スパチュラ４０が組み付けられている。
【００２６】
前記把持部４８は、摘持するために適した幅及び長さを有する。
図示例の把持部４８は縦長の略矩形であり、後述の中間部４４より幅狭に形成されている。もっともこれらの形状は適宜変更することができる。
前記把持部４８の外面には、部分ネジ部５０が形成されている。
本明細書において、部分ネジとは、雄ネジの周方向の一部をなす部分をいう。
前記部分ネジ部５０は、少なくとも一つ（図示例では３つ）の斜行リブ５２を有する。これらの斜行リブ５２のピッチは前記雄ネジ部２０のピッチ（ネジ山同士の間隔）と等しい。また各斜行リブは、雄ネジ部２０のネジ山２０ａと等しい傾きを有する。
そして３本の斜行リブ５２のうちで最下位の斜行リブ５２は、初期状態（スパチュラを筒体に組み付けた状態）で最上位のネジ山２０ａのネジ軌跡Ｔに沿って配置されている。他方、上の２本の斜行リブ５２は、予め、雄ネジ部２０のネジ軌跡Ｔより上側に配置されている。
この構成によれば、前記筒体１２に対してキャップ３０を螺脱させた時点で、上の２本の斜行リブ５２が未だ雌ネジ部３６にかみ合っており、これらがフック手段ｈとして、前記スパチュラ４０を引き上げることができる。
なお、前記斜行リブ５２の数（図１の状態で雄ネジ部のネジ軌跡Ｔ上に配置された斜行リブの数、及びネジ軌跡の上に配置された斜行リブの数）は適宜変更することができる。
本実施形態では、前記部分ネジ部５０は、図２に示すように、前記スパチュラ４０の表面Ｓｆ側及び裏面Ｓｒの双方に、すなわち前記把持部４８の表裏両面に形成している。こうすることにより、スパチュラ４０の表裏の向き如何によらず、図４に示す如く、前記筒体１２の外側に位置する部分ネジ部５０を前記雌ネジ部３６にかみ合わせることができる。
また同図に示す例では、前記筒体１２の内側に位置する部分ネジ部５０は、前記内筒部１４の外面に当接している。この構成によれば、前記フック手段ｈである上側の２本の斜行リブ５２と前記雌ネジ部３６とのかみ合いにより、前記スパチュラ４０を引き上げる際に、把持部４８が内側へ弾性変形して、前記フック手段ｈが前記雌ネジ部３６からは外れてしまうことを防止する。従って、前記スパチュラ４０の引上げをより確実にすることができる。
【００２７】
前記内容物取出し部４２は、内容物と掬い取るのに適した面積を有する掬い部であり、好適な図示例では、下側に向かって丸く窄まる形状を有する。
また図示例では、前記内容物取出し部４２は、図５（Ａ）に示すように、その周縁部に比べて浅く窪んだ凹み部４３を形成している。もっとも、この構造は適宜変更することができ、例えば平板状に形成しても構わない。
また図示例では、図３に示すように、前記スパチュラ４０の表面Ｓｆ側及び裏面Ｓｒ側の双方に、前記凹み部４３が形成されている。
前記スパチュラ４０の片面だけに前記凹み部４３を設けた構成では、前記容器本体１０に組み付けたときのスパチュラ４０の向き次第で、把持部４８を把持して内容物を掬い取る際に凹み部４３が下向きとなり、スパチュラ４０を持ち替えることが必要となる可能性があるが、図示例の構成では、そうした不都合を回避できる。
前記内容物取出し部４２は、前記挿通孔２４を介して、前記下方筒部１８ｃ及び内筒部１４の間の環状空間Ｖ内に挿入されている。また前記内容物取出し部４２は、前述の通り、前記一対の内リブ７の間に僅かの隙間ｂを存して差し込まれている。これにより、内容物取出し部４２の周方向のブレを抑制することができる。
【００２８】
前記中間部４４は、前記挿通孔２４内に、図７に示す如く、引き上げ可能に嵌合させたスライド板部であり、前記キャップ３０の離脱代Ｍに相当する距離を引き上げたときに、挿通孔２４内で係止されるように設ける。
前記中間部４４の上下長さＬは、前記挿通孔２４の孔深さＤに前記キャップ３０の離脱代Ｍを加えた値と同等或いはこれを超える長さに設定すると良い。
また前記中間部４４の幅Ｗは、前記挿通孔２４の長手方向の孔長と同程度、或いは、この孔長から圧接代ａを差し引いた長さとすると良い。なお、圧接代ａとは、図７（Ｂ）に示すように、前記中間部４４に前記挟持用ストッパを圧接させるために必要な長さをいう。
前記中間部４４には、当該中間部４４の幅方向の圧縮を可能とする易変形部４６が形成されている。
こうした構成とすることにより、前記中間部４４は幅方向からの前記挟持用ストッパ２６の圧接力を受けてベンド変形し易くなる。換言すれば、前記一対の挟持用ストッパ２６は、前記中間部４４の幅方向の両側に食い込むことになり、これにより、前記スパチュラ４０の支持力が増大する。
図示例では、前記易変形部４６として、前記中間部の幅方向に相互に離間させて一対の撓み変形孔が設けられているが、孔に代えて例えば肉薄部としても構わない。
好適な図示例では、前記撓み変形孔の形状は上下方向に長いスリットとしている。
これらスリットは、前記スパチュラ４０の初期の組み付け位置（図１参照）及び引き上げられた位置（図７（Ａ）参照）において、少なくとも前記スリットの長手方向の一部が前記一対の挟持用ストッパ２６の間に位置するように設けられる。
前記中間部４４の幅方向の側端面には、前記挟持用ストッパ２６の下面に接する位置に、一対の係合突子４７を付設している。この係合突子４７は、前記スパチュラ４０の引き上げにより、前記挿通孔２４の孔面（挟持用ストッパ２６の内面）を乗り越えることが可能な大きさに形成する。そして前記挿通孔２４を乗り越えた係合突子４７は、前記挟持用ストッパ２６の上面に係止する。この係合突子４７の係止力と前記挟持用ストッパ２６の挟持力とが相まって、前記スパチュラ４０をより確実に支持することができる。
【００２９】
前記構成において、図１の状態から、前記容器本体１０に対して前記キャップ３０を開方向へ回転させると、前記雌ネジ部３６のネジ山が前記雄ネジ部２０のネジ山２０ａ及び前記部分ネジ部５０の斜行リブ５２に沿って摺動する。そして、図６（Ａ）に示す如く、前記雄ネジ部２０から前記雌ネジ部３６が螺脱した時点で、前記部分ネジ部５０の上側に斜行リブ５２はフック手段ｈとして未だ前記雌ネジ部３６とかみ合っているから、この状態から、前記キャップ３０を図６（Ｂ）に示す如く持ち上げると、前記フック手段ｈを介して前記スパチュラ４０に引き上げることができる。
この引き上げの際に、前記一対の挟持用ストッパ２６が前記スパチュラ４０の中間部４４の両側に食い込んで当該中間部４４のベンド変形を生じさせる。また前記中間部４４の両側の係合突子４７が前記挿通孔２４の孔面を乗り越えて前記挟持用ストッパ２６の上面に係止する。
これら挟持用ストッパ２６の挟持力及び前記係合突子４７の係止力により、前記スパチュラ４０の引き上げ状態が支えられる。
従って、この状態で、前記スパチュラ４０から前記キャップ３０を離しても、図７（Ａ）に示す如く、前記スパチュラ４０の引き上げ状態は維持される。
この状態から、スパチュラ４０の把持部４８を把持して引き上げると、スパチュラ４０を簡単に取り外すことができる。
【符号の説明】
【００３０】
２…底蓋  ３…下蓋板  ４…周壁  ５…内周壁部  ５ａ…抜止め用リブ
５ｂ…切り欠き  ６…外周壁部  ７…内リブ  ７ａ…対向面
１０…容器本体  １１…底壁部  １２…筒体  １４…内筒部  １４ａ…脚筒部
１５…係合突起  １６…フランジ状壁部
１８…外筒部  １８ａ…上方筒部  １８ｂ…拡径部  １８ｃ…下方筒部
１９…補剛リング  ２０…雄ネジ部  ２０ａ…ネジ山  ２０ｂ…切端部
２２…収納凹部  ２２ａ…底面  ２２ｂ…傾斜側面  ２４…挿通孔
２６…挟持用ストッパ
３０…キャップ  ３２…天板  ３４…蓋周壁  ３６…雌ネジ部  ３８…パッキン
４０…スパチュラ  ４２…内容物取出し部（掬い部）  ４３…凹み部
４４…中間部（スライド板部）
４６…易変形部（撓み変形孔）  ４７…係合突子  ４８…把持部
５０…部分ネジ部  ５２…斜行リブ  
ａ…圧接代  ｂ…隙間  Ｄ…挿通孔の孔深さ  ｈ…フック手段
Ｌ…中間部の上下長さ  Ｍ…離脱代
Ｒ…回り止め手段  Ｓｆ…把持部の表面  Ｓｒ…同裏面
Ｔ…ネジ軌跡  Ｖ…環状空間  ｗ…中間部の幅
【図１】
2020179896.tif 000003
【図２】
2020179896.tif 000004
【図３】
2020179896.tif 000005
【図４】
2020179896.tif 000006
【図５】
2020179896.tif 000007
【図６】
2020179896.tif 000008
【図７】
2020179896.tif 000009